(57)【特許請求の範囲】
【請求項１】
タックペーバ又は乳剤散布車に設けられたスプレーバーの四囲と上部を囲繞して配設され、該スプレーバーから散布されるアスファルト乳剤の外部への飛散を防止するための飛散防止カバーと、該飛散防止カバーの内側に連通され、該飛散防止カバー内に飛散して空気中内にミスト状に浮遊するアスファルト乳剤を空気と共に吸い上げる吸い上げ手段と、前記飛散防止カバーの内側と前記吸い上げ手段との連通路上に設けられ、前記吸い上げ手段で空気と共に吸い上げられたミスト状のアスファルト乳剤を当該空気から分離して捕集するフィルタとを有することを特徴とする乳剤の飛散防止装置。
【請求項２】
タックペーバ又は乳剤散布車に設けられたスプレーバーを囲むように配設され、該スプレーバーから散布されるアスファルト乳剤の外部への飛散を防止するための飛散防止カバーと、該飛散防止カバーの内側と散布用のアスファルト乳剤を貯溜する乳剤タンク内上部の空間部とを連通するダクトと、前記乳剤タンク内上部の空間部に連通され、前記飛散防止カバー内に飛散して空気中内に浮遊するアスファルト乳剤を前記ダクトを介して空気と共に吸い上げる吸上げ手段と、前記乳剤タンク内上部の空間部と前記吸上げ手段との間に設けられ、前記吸上げ手段で空気と共に吸い上げられたアスファルト乳剤を当該空気から分離するとともに該分離したアスファルト乳剤を前記乳剤タンク内に滴下させるフィルタとを有することを特徴とする乳剤の飛散防止装置。
【請求項３】
上記フィルタは、交換可能であることを特徴とする請求項１または２記載の乳剤の飛散防止装置。
【発明の詳細な説明】
【技術分野】
【０００１】
本発明は、乳剤散布装置を設けたアスファルトフィニッシャ又は、乳剤散布車の乳剤の飛散防止装置に関するものであり、特に、周囲環境への配慮が十分な乳剤の飛散防止装置に関するものである。
【背景技術】
【０００２】
乳剤の飛散防止装置に関連する従来技術として、例えば、次のような舗装機械における乳剤散布装置が知られている。この従来技術は、アスファルト乳剤を基盤上に散布するスプレー部の下方をカバー体でカバーして、前記スプレー部から散布されたアスファルト乳剤が周辺に飛散するのを防止するようにしている（例えば、特許文献１参照）。
【特許文献１】特開２００１−４０６１５号公報（第３〜４頁、図１、図３）。
【発明の開示】
【発明が解決しようとする課題】
【０００３】
特許文献１に記載の従来技術においては、アスファルト乳剤を散布するスプレー部の下方をカバー体でカバーしているのみである。このため、アスファルト舗装工事の進行に伴ってスプレー部からのアスファルト乳剤の散布量が増えると、アスファルト乳剤の飛散量も増し、臭気を伴うアスファルト乳剤がカバー体から外部に漏れ出て周囲環境に悪影響を及ぼすおそれがある。
【０００４】
そこで、アスファルト乳剤が外部に飛散するのを十分に防止することができて周囲環境への配慮が十分な乳剤の飛散防止装置を提供するために解決すべき技術的課題が生じてくるのであり、本発明はこの課題を解決することを目的とする。
【課題を解決するための手段】
【０００５】
本発明は上記目的を達成するために提案されたものであり、請求項１記載の発明は、タックペーバ又は乳剤散布車に設けられたスプレーバーの四囲と上部を囲繞して配設され、該スプレーバーから散布されるアスファルト乳剤の外部への飛散を防止するための飛散防止カバーと、該飛散防止カバーの内側に連通され、該飛散防止カバー内に飛散して空気中内にミスト状に浮遊するアスファルト乳剤を空気と共に吸い上げる吸い上げ手段と、前記飛散防止カバーの内側と前記吸い上げ手段との連通路上に設けられ、前記吸い上げ手段で空気と共に吸い上げられたミスト状のアスファルト乳剤を当該空気から分離して捕集するフィルタとを有する乳剤の飛散防止装置を提供する。
【０００６】
この構成によれば、タックペーバ又は乳剤散布車に設けられたスプレーバーによるアスファルト乳剤の散布時に、飛散防止カバーの内側に飛散して空気中内に浮遊するアスファルト乳剤が吸上げ手段で空気と共に吸い上げられ、そのアスファルト乳剤がフィルタで空気と分離して捕集される。この結果、外部へは無害な空気が吐き出される。
【０００７】
請求項２記載の発明は、タックペーバ又は乳剤散布車に設けられたスプレーバーを囲むように配設され、該スプレーバーから散布されるアスファルト乳剤の外部への飛散を防止するための飛散防止カバーと、該飛散防止カバーの内側と散布用のアスファルト乳剤を貯溜する乳剤タンク内上部の空間部とを連通するダクトと、前記乳剤タンク内上部の空間部に連通され、前記飛散防止カバー内に飛散して空気中内に浮遊するアスファルト乳剤を前記ダクトを介して空気と共に吸い上げる吸上げ手段と、前記乳剤タンク内上部の空間部と前記吸上げ手段との間に設けられ、前記吸上げ手段で空気と共に吸い上げられたアスファルト乳剤を当該空気から分離するとともに該分離したアスファルト乳剤を前記乳剤タンク内に滴下させるフィルタとを有する乳剤の飛散防止装置を提供する。
【０００８】
この構成によれば、タックペーバ又は乳剤散布車に設けられたスプレーバーによるアスファルト乳剤の散布時に、飛散防止カバーの内側に飛散して空気中内に浮遊するアスファルト乳剤が、吸上げ手段でダクト及び乳剤タンク内上部の空間部を介して空気と共に吸い上げられる。そして、吸い上げられたアスファルト乳剤はフィルタで空気から分離されて乳剤タンク内に滴下して戻り、外部へは無害な空気が吐き出される。
【０００９】
請求項３記載の発明は、上記フィルタは、交換可能である乳剤の飛散防止装置を提供する。
【００１０】
この構成によれば、フィルタへのアスファルト乳剤の捕集量が一定量に達する毎に、該フィルタを新たなフィルタと交換することで、フィルタによるアスファルト乳剤の捕集機能が常時正常に行われる。
【発明の効果】
【００１１】
請求項１記載の発明は、タックペーバ又は乳剤散布車に設けられたスプレーバーの四囲と上部を囲繞して配設され、該スプレーバーから散布されるアスファルト乳剤の外部への飛散を防止するための飛散防止カバーと、該飛散防止カバーの内側に連通され、該飛散防止カバー内に飛散して空気中内にミスト状に浮遊するアスファルト乳剤を空気と共に吸い上げる吸い上げ手段と、前記飛散防止カバーの内側と前記吸い上げ手段との連通路上に設けられ、前記吸い上げ手段で空気と共に吸い上げられたミスト状のアスファルト乳剤を当該空気から分離して捕集するフィルタとを具備させたので、飛散防止カバーの内側に飛散したミスト状のアスファルト乳剤がフィルタで空気と分離して捕集され、外部へは無害な空気が吐き出されることで、臭気を伴うミスト状のアスファルト乳剤が外部に飛散するのを十分に防止することができて周囲環境への配慮が十分な乳剤の飛散防止装置を提供することができるという利点がある。
【００１２】
請求項２記載の発明は、タックペーバ又は乳剤散布車に設けられたスプレーバーを囲むように配設され、該スプレーバーから散布されるアスファルト乳剤の外部への飛散を防止するための飛散防止カバーと、該飛散防止カバーの内側と散布用のアスファルト乳剤を貯溜する乳剤タンク内上部の空間部とを連通するダクトと、前記乳剤タンク内上部の空間部に連通され、前記飛散防止カバー内に飛散して空気中内に浮遊するアスファルト乳剤を前記ダクトを介して空気と共に吸い上げる吸上げ手段と、前記乳剤タンク内上部の空間部と前記吸上げ手段との間に設けられ、前記吸上げ手段で空気と共に吸い上げられたアスファルト乳剤を当該空気から分離するとともに該分離したアスファルト乳剤を前記乳剤タンク内に滴下させるフィルタとを具備させたので、飛散防止カバーの内側に飛散したアスファルト乳剤がフィルタで空気から分離されて乳剤タンク内に戻り、外部へは無害な空気が吐き出されることで、上記請求項１記載の発明の効果に加えてさらに、空気から分離したアスファルト乳剤を再利用することができて、メンテナンス性が良好になるという利点がある。
【００１３】
請求項３記載の発明は、上記フィルタは、交換可能としたので、アスファルト乳剤の捕集機能を常時正常に行わせることができて、臭気を伴うアスファルト乳剤が外部に飛散するのを常時十分に防止することができるという利点がある。
【発明を実施するための最良の形態】
【００１４】
アスファルト乳剤が外部に飛散するのを十分に防止することができて周囲環境への配慮が十分な乳剤の飛散防止装置を提供するという目的を、タックペーバ又は乳剤散布車に設けられたスプレーバーを囲むように配設され、該スプレーバーから散布されるアスファルト乳剤の外部への飛散を防止するための飛散防止カバーと、該飛散防止カバーの内側に連通され、該飛散防止カバー内に飛散して空気中内に浮遊するアスファルト乳剤を空気と共に吸い上げる吸上げ手段と、前記飛散防止カバーの内側と前記吸上げ手段との連通路上に交換可能に設けられ、前記吸上げ手段で空気と共に吸い上げられたアスファルト乳剤を当該空気から分離して捕集するフィルタとを具備させた。
【００１５】
また、前記飛散防止カバーの内側に連通する部分以降は、以下のようにも構成し得る。即ち、飛散防止カバーの内側と散布用のアスファルト乳剤を貯溜する乳剤タンク内上部の空間部とを連通するダクトと、前記乳剤タンク内上部の空間部に連通され、前記飛散防止カバー内に飛散して空気中内に浮遊するアスファルト乳剤を前記ダクトを介して空気と共に吸い上げる吸上げ手段と、前記乳剤タンク内上部の空間部と前記吸上げ手段との間に設けられ、前記吸上げ手段で空気と共に吸い上げられたアスファルト乳剤を当該空気から分離するとともに該分離したアスファルト乳剤を前記乳剤タンク内に滴下させるフィルタとを具備させることにより実現した。
【実施例１】
【００１６】
以下、本発明の実施例１を図面に従って詳述する。図１は、本実施例及び後述の実施例２の適用例としての乳剤散布装置を設けたアスファルトフィニッシャ（以下、タックペーバという）の側面図、図２は、本実施例の構成図である。まず、図１を用いてタックペーバから説明する。タックペーバ１は、車体の前部にアスファルト合材を投入するホッパ２が配置され、車体の後部には、前記ホッパ２に投入されてバーコンベヤ（図示せず）で後方に搬送されたアスファルト合材を路面上に拡げるスプレッディングスクリュー３及び該拡げられたアスファルト合材を均一な厚さに敷き均すスクリード４が配置されている。
【００１７】
そして、前記スプレッディングスクリュー３の直ぐ前方に、前記アスファルト合材が敷き均される下層路面にアスファルト乳剤を散布するための乳剤散布機構５が配設されている。車体の前後方向ほぼ中央の上部には、散布用のアスファルト乳剤を貯溜する乳剤タンク６が搭載されている。該乳剤タンク６の前方には、エンジン７が搭載されている。
【００１８】
次いで、図２を用いて、本実施例に係る乳剤の飛散防止装置の構成を説明する。図２において、前記乳剤散布機構５を構成するスプレーバー８にアスファルト乳剤の散布口となる複数個の散布ノズル９，…が適宜間隔をおいて設けられている。スプレーバー８の配設部位には、該スプレーバー８を囲むように、散布されるアスファルト乳剤が外部へ飛散するのを防止するための飛散防止カバー１０が取り付けられている。該飛散防止カバー１０は、ラバー等で作製されている。
【００１９】
飛散防止カバー１０の上部には、該飛散防止カバー１０の内側に臨むように集塵部１１が配設されている。該集塵部１１は、飛散防止カバー１０内に飛散したアスファルト乳剤を空気と共に収集する際の収集口となる。
【００２０】
前記集塵部１１には、前記飛散防止カバー１０内に飛散したアスファルト乳剤を空気と共に吸い上げる吸上げ手段としてのブロワ１２が、ダクト１３を介して連通されている。該ダクト１３、即ち、前記集塵部１１と前記ブロワ１２との連通路上には、該ブロワ１２で空気と共に吸い上げられたアスファルト乳剤を当該空気から分離して捕集するためのフィルタ１４が交換可能に配設されている。
【００２１】
次に、上述のように構成された本実施例に係る乳剤の飛散防止装置の作用を説明する。スプレーバー８による各散布ノズル９，…部分からのアスファルト乳剤の散布時に飛散防止カバー１０の内側に飛散したアスファルト乳剤が、ブロワ１２で集塵部１１及びダクト１３を介して空気と共に吸い上げられる。
【００２２】
この吸い上げ過程において、フィルタ１４によりアスファルト乳剤が空気と分離して捕集される。この結果、前記ブロワ１２から外部へは、アスファルト乳剤が除去された無害な空気が吐き出される。
【００２３】
前記フィルタ１４は、アスファルト乳剤の捕集量が一定量に達する毎に、新たなフィルタ１４と交換される。これにより、フィルタ１４によるアスファルト乳剤の捕集機能が常時正常に行われる。
【００２４】
上述したように、本実施例に係る乳剤の飛散防止装置においては、ブロワ１２から外部へは、アスファルト乳剤が除去された無害な空気が吐き出されることで、臭気を伴うアスファルト乳剤が外部に飛散するのを十分に防止することができて周囲環境への配慮が十分な乳剤の飛散防止装置を提供することができる。
【００２５】
前記フィルタ１４を交換可能としたことで、アスファルト乳剤の捕集機能を常時正常に行わせることができて、臭気を伴うアスファルト乳剤が外部に飛散するのを常時十分に防止することができる。
【実施例２】
【００２６】
本発明の実施例２を、図３を用いて説明する。図３は、本実施例の構成図である。本実施例も前記図１に示すタックペーバ（舗装機械）に適用されている。なお、図３において前記図１及び図２における構成要素と同一ないし均等のものは、前記と同一符号を以って示し、重複した説明を省略する。
【００２７】
本実施例では、飛散防止カバー１０の内側が、乳剤タンク６内上部の空間部６ａにダクト１５を介して連通されている。乳剤タンク６の上方には、前記飛散防止カバー１０内に飛散したアスファルト乳剤を前記ダクト１５及び乳剤タンク６内上部の空間部６ａを介して空気と共に吸い上げる吸上げ手段としてのブロワ１６が、前記乳剤タンク６内上部の空間部６ａに連通して配設されている。
【００２８】
該乳剤タンク６内上部の空間部６ａと前記ブロワ１６との間には、該ブロワ１６で空気と共に吸い上げられたアスファルト乳剤を当該空気から分離するとともに、その分離したアスファルト乳剤を前記乳剤タンク６内に滴下させるフィルタ１７が配設されている。
【００２９】
次に、上述の構成された本実施例に係る乳剤の飛散防止装置の作用を説明する。前記スプレーバー８による各散布ノズル９，…部分からのアスファルト乳剤の散布時に飛散防止カバー１０の内側に飛散したアスファルト乳剤が、ブロワ１６でダクト１５及び乳剤タンク６内上部の空間部６ａを介して空気と共に吸い上げられる。
【００３０】
この吸い上げ過程において、フィルタ１７によりアスファルト乳剤が空気から分離されて乳剤タンク６内に滴下して戻る。この結果、前記ブロワ１６から外部へは、アスファルト乳剤が除去された無害な空気が吐き出される。
【００３１】
上述したように、本実施例に係る乳剤の飛散防止装置においては、飛散防止カバー１０の内側に飛散したアスファルト乳剤がフィルタ１７で空気から分離されて乳剤タンク６内に戻り、ブロワ１６から外部へは、アスファルト乳剤が除去された無害な空気が吐き出されることで、上記実施例１の効果と同様の効果に加えてさらに、空気から分離したアスファルト乳剤を再利用することができて、メンテナンス性が良好になる。
【００３２】
また、フィルタ１７を頻繁に新たなものと交換することなしに、該フィルタ１７によるアスファルト乳剤の分離機能を常時正常に行わせることができる。
【００３３】
なお、上記実施例１，２は、タックペーバ（舗装機械）以外の乳剤散布車等にも適用することができる。
【００３４】
また、本発明は、本発明の精神を逸脱しない限り種々の改変をなすことができ、そして、本発明が該改変されたものにも及ぶことは当然である。
【図面の簡単な説明】
【００３５】
図は、本発明の実施例に係る乳剤の飛散防止装置を示すものである。
【図１】実施例１，２の適用例であるタックペーバの側面図。
【図２】実施例１の構成図。
【図３】実施例２の構成図。
【符号の説明】
【００３６】
６        乳剤タンク
６ａ      空間部
８        スプレーバー
１０        飛散防止カバー
１２，１６  ブロワ（吸上げ手段）
１４，１７  フィルタ
１５        ダクト
【図１】
0004721866.tif 000002
【図２】
0004721866.tif 000003
【図３】
0004721866.tif 000004